(57)【要約】本方法及び装置の目的は、皮膚洗浄並びに皮膚の若返り及び向上の好ましい組み合わせをもたらすべく様々なタイプのエネルギーを協調して又は引き続いて適用することを含む美容皮膚手入れを与えることにある。したがって、本方法及び装置の一例の実施形態によれば、美容皮膚手入れが与えられる。複数の毛が一以上の保持体に取り付けられたブラシ状ヘッドを含む。当該毛の少なくとも一部は、複数の形態のエネルギーを皮膚に適用するべく動作可能である。複数の形態のエネルギーの少なくとも一つがラジオ波エネルギーである一方、他の形態は、光エネルギー、機械エネルギー、超音波エネルギー及びこれらの任意の適切な組み合わせを含む。
2014527432.tif 000002
【特許請求の範囲】
【請求項１】
美容皮膚手入れの装置であって、
少なくとも一つの保持体と、前記保持体に取り付けられて複数の形態のエネルギーを前記皮膚に適用するべく動作可能である複数の毛であって、前記複数の形態のエネルギーの少なくとも一つがラジオ波エネルギーである複数の毛とを含むブラシ状ヘッドと、
前記複数の毛に供給を行うべく動作可能な少なくとも一つのエネルギー源と、
前記エネルギー源を制御するべく前記ヘッドに取り付けられ、かつ、少なくとも一つのスイッチを含むハンドルと
を含む装置。
【請求項２】
前記形態のエネルギーは、ラジオ波エネルギー、光エネルギー、機械エネルギー及び超音波エネルギーを含む群から選択される、請求項１に記載の装置。
【請求項３】
前記ヘッド及び前記ハンドルの少なくとも一方が、エネルギー源、ラジオ波発生器、光源、制御器及び表示灯の少なくとも一つを含むべく動作可能である、請求項１に記載の装置。
【請求項４】
前記複数の毛は、不活性毛、光送達毛及びラジオ波エネルギー適用毛を含むタイプの群から選択される少なくとも一つのタイプの複数の毛である、請求項１に記載の装置。
【請求項５】
前記複数の毛は、それぞれが同じタイプの複数の毛を含む複数のクラスターに配列される、請求項４に記載の装置。
【請求項６】
前記複数の毛は複数のクラスターに配列され、少なくとも２つの異なるクラスターのラジオ波エネルギー適用毛間の最短距離（ｄ）が、前記複数の毛の組み合わせ長さ（ｌ）未満である（ｄ＜ｌ１＋ｌ２）、請求項１に記載の装置。
【請求項７】
前記複数の毛は半剛性又は柔軟性である、請求項１に記載の装置。
【請求項８】
前記クラスターは複数の標準ラジオ波電極である、請求項４に記載の装置。
【請求項９】
前記複数の毛のそれぞれは、少なくとも一つの光ファイバを含む、請求項１に記載の装置。
【請求項１０】
前記複数の毛のそれぞれは、複数の光ファイバを含む、請求項１に記載の装置。
【請求項１１】
前記ファイバは、互いに摺動可能に接着される、請求項１０に記載の装置。
【請求項１２】
前記ファイバは、柔軟なコーティングによって保護される、請求項１０に記載の装置。
【請求項１３】
前記ファイバは、柔軟なスリーブによって保護される、請求項１０に記載の装置。
【請求項１４】
前記スリーブは、保護用透明カバーで終端する、請求項１３に記載の装置。
【請求項１５】
前記複数の毛は、コヒーレント光、可視光及び赤外（ＩＲ）光を含む群から選択される少なくとも一つの光の形態にある光エネルギーを適用する、請求項１に記載の装置。
【請求項１６】
前記複数の毛は電気伝導性である、請求項１に記載の装置。
【請求項１７】
前記複数の毛は、少なくとも一部が電気的に絶縁される、請求項１６に記載の装置。
【請求項１８】
前記ブラシ状ヘッドは、少なくとも２つの異なる形態のエネルギーを前記皮膚に適用するべく動作可能に前記保持体に取り付けられた少なくとも２つのタイプの複数の毛を含む、請求項１に記載の装置。
【請求項１９】
前記ヘッドはさらに、前記保持体に接続された少なくとも一つのＬＥＤを含む、請求項１に記載の装置。
【請求項２０】
前記ヘッドはさらに、静電電荷が容易に帯電される材料で覆われた少なくとも一つの軟質パッドを含む、請求項１に記載の装置。
【請求項２１】
前記保持体はさらに、
凹部と、
前記凹部内に埋め込まれた一以上のＬＥＤと、
前記凹部を覆って透明窓を形成する前記保持体に取り付けられた透明板と、
前記透明板に取り付けられた透明材料から作られた複数の毛と
を含む、請求項１に記載の装置。
【請求項２２】
前記保持体は、少なくとも一つの静止部分及び少なくとも一つの回転可能な可動部分を含む、請求項１に記載の装置。
【請求項２３】
前記回転可能な可動部分は、滑動環アセンブリ又はブラシアセンブリを介して前記エネルギー源と通信する複数のラジオ波エネルギー適用毛を含む、請求項２２に記載の装置。
【請求項２４】
前記回転可能な可動部分は、単極構成にある複数のラジオ波エネルギー適用毛を含み、かつ、前記ハンドルはさらに共通電極を含む、請求項２２に記載の装置。
【請求項２５】
前記回転可能な可動部分は、単極構成にある複数のラジオ波エネルギー適用毛を含み、かつ、前記静止部分は接地電極を含む、請求項２２に記載の装置。
【請求項２６】
前記回転可能な可動部分は、単極構成にある複数のラジオ波エネルギー適用毛を含み、かつ、前記静止部分は接地電極を含み、
前記ラジオ波エネルギー適用毛と前記接地電極との間の最短距離は、前記毛の長さ未満である、請求項２２に記載の装置。
【請求項２７】
前記ヘッドはさらに振動効果モータを含む、請求項１に記載の装置。
【請求項２８】
前記ヘッドはさらに、振動又は並進動効果をもたらす圧電素子を含む、請求項１に記載の装置。
【請求項２９】
前記ヘッドはさらに、
少なくとも一つの壁に少なくとも一つのレールを含む凹部と、
前記レールにより支持されかつ前記レールに沿って回転動作可能な少なくとも一つのホイールを有する少なくとも一つのシャシと、
前記シャシから懸架された前記保持体の少なくとも一つの可動部分と、
前記エネルギー源からの給電を受け、かつ、前記ホイールに取り付けられた制御器によって制御される少なくとも一つの電気モータと
を含む、請求項１に記載の装置。
【請求項３０】
前記ヘッドはさらに、
少なくとも一つの壁に少なくとも一つのレールを含む凹部であって、交互する極性を有する少なくとも一つの電磁石を含む凹部と、
前記レールにより支持されかつ前記レールに沿って回転動作可能な少なくとも一つのホイールを有する少なくとも一つのシャシと、
前記シャシから懸架された前記保持体の少なくとも一つの可動部分であって、前記電磁石に対向する少なくとも一つの周縁に磁石を有する少なくとも一つの可動部分と
を含む、請求項１に記載の装置。
【請求項３１】
前記ヘッドはさらに、
電気伝導性ゲルを保持するべく動作可能なゲル貯蔵器であって、
少なくとも一つの貯蔵器補充用バルブと、
前記エネルギー源及び前記制御器と通信する少なくとも一つの自動配給ポンプと
を含むゲル貯蔵器と、
前記ゲル貯蔵器と連通する前記保持体における少なくとも一つの穴と
を含む、請求項１に記載の装置。
【請求項３２】
前記電気伝導性ゲルは洗浄石けんである、請求項３１に記載の装置。
【請求項３３】
前記エネルギー源は充電可能である、請求項１に記載の装置。
【請求項３４】
前記複数の形態のエネルギーは、連続、半連続又はパルス形態からなる複数モードの群から選択される少なくとも一つのモードにある、請求項１に記載の装置。
【請求項３５】
前記複数の形態のエネルギーは、同時に、引き続いて、及びこれらの組み合わせの少なくとも一つで適用される、請求項１に記載の装置。
【請求項３６】
前記複数の形態のエネルギーは、複数のＬＥＤから送達される光エネルギーを含む、請求項１に記載の装置。
【請求項３７】
美容皮膚手入れの方法であって、
少なくとも一つの保持体と、前記保持体に取り付けられて複数の形態のエネルギーを前記皮膚に適用するべく動作可能である複数の毛であって、前記複数の形態のエネルギーの少なくとも一つのがラジオ波エネルギーである複数の毛とを含むブラシ状ヘッドによって皮膚をブラッシングすることと、
少なくとも一つの形態のエネルギーを前記皮膚に適用することと、
前記皮膚をマッサージしかつ前記皮膚の剥脱を行うべく振動機械エネルギーを適用することと
を含む方法。
【請求項３８】
前記ブラッシングすることの前又は後にゲルを適用することをさらに含む、請求項３７に記載の方法。
【請求項３９】
静電電荷が容易に帯電される材料で覆われ、かつ、緩んだ帯電皮膚の残骸を収集する軟質パッドを前記皮膚に適用することをさらに含む、請求項３７に記載の方法。
【発明の詳細な説明】
【技術分野】
【０００１】
本方法及び装置は、個人用美容手入れ処置、詳しくは美容皮膚手入れ処置の分野に関する。
【背景技術】
【０００２】
顔面の皮膚は、美容的な処置を受ける最も一般的な部位の一つである。伝統的な美容顔面皮膚手入れには、不織布網目スポンジのような洗浄ツールを用いた顔面皮膚マッサージ及び皮膚剥脱が含まれる。かかる洗浄ツールは、顔面の皮膚にとって粗すぎる傾向があるので、乾燥及び炎症を増大させることがある。
【０００３】
汚れ、油及び化粧を除去するべく顔面用布が使用されるが、顔面上には皮膚の残骸及び詰まった穴が残るので、にきび又は吹き出物のような顔面炎症が引き起こされる。
【０００４】
美容皮膚トリートメントを目的として熱エネルギーを使用する施術が知られている。皮膚及び下層組織を加熱することにより、組織収縮が引き起こされて所望の美容効果が得られる。
【０００５】
美容皮膚トリートメント用ラジオ波エネルギー放射デバイスを使用することも知られている。美容ラジオ波皮膚トリートメントは、一以上のラジオ波電極に結合されたアプリケータを使用して施される。皮膚表面に結合された電極のラジオ波エネルギー送達表面が、皮膚内に電流を生じさせる。電流は皮膚及び下層の皮下組織を加熱して所望の組織収縮効果をもたらす。
【０００６】
美容皮膚トリートメントにおいて可視光、赤外（ＩＲ）光又はコヒーレント光の形態の光エネルギーを使用することも美容皮膚トリートメントにおいて使用されている。美容レーザ及びＬＥＤ光治療が、皮膚若返りに貢献して老化の可視的兆候を逆行させかつ制御することがわかっている。可視光及び赤外光の双方が、細胞レベルでの様々な好ましい変化に効果があることが示されている。
【０００７】
美容皮膚手入れにおいてラジオ波エネルギー、光エネルギー及び機械的マッサージエネルギーを協調して適用することにより、被トリートメント顔面皮膚の外見を向上させる皮膚洗浄及び皮膚若返りの好ましい組み合わせが得られる。しかしながら、かかる装置は業務用でのみ存在し、そのトリートメントは、美容クリニックにおいて有資格職員の監督下で行われる。
【０００８】
最近は、家庭用の個人美容皮膚手入れ及び皮膚洗浄デバイスが普及している。本発明に係る装置及び方法は、一時的な装置使用者による在宅条件において美容皮膚手入れの洗浄を行うソリューションを与える。そのトリートメントは、美容クリニックで行われるトリートメントで得られる結果と同様の又は近似的に同様の美容皮膚洗浄結果をもたらし得る。
【先行技術文献】
【特許文献】
【０００９】
【特許文献１】国際公開第２００９／１０４１７８（Ａ２）号パンフレット
【特許文献２】米国特許出願公開第２００５／０１５９７４１（Ａ１）号明細書
【特許文献３】米国特許出願公開第２００４／０００９１４１（Ａ１）号明細書
【特許文献４】米国特許第４，３９８，１１３号明細書
【特許文献５】米国特許出願公開第２０１０／００１６７２７（Ａ１）号明細書
【特許文献６】米国特許出願公開第２００７／０１７９４９０（Ａ１）号明細書
【発明の概要】
【００１０】
本方法及び装置の目的は、皮膚洗浄並びに皮膚の若返り及び向上の好ましい組み合わせをもたらすべく様々なタイプのエネルギーを協調して又は引き続いて適用することを含む美容皮膚手入れを与えることにある。
【００１１】
したがって、本方法及び装置の一例の実施形態によれば、美容皮膚手入れが与えられる。複数の毛が一以上の保持体に取り付けられたブラシ状ヘッドを含む。当該毛の少なくとも一部は、複数の形態のエネルギーを皮膚に適用するべく動作可能である。複数の形態のエネルギーの少なくとも一つがラジオ波エネルギーである一方、他の形態は、光エネルギー、機械エネルギー、超音波エネルギー及びこれらの任意の適切な組み合わせを含む。
【００１２】
本方法及び装置のもう一例の実施形態によれば、ハンドルに取り付けられかつ複数の毛が一以上の保持体に取り付けられたブラシ状ヘッドが設けられる。当該毛の少なくとも一部は、複数の形態のエネルギーを皮膚に適用するべく動作可能であり、かつ、光エネルギーを皮膚に直接的又は間接的に適用する複数のＬＥＤも含む。
【００１３】
本方法及び装置のさらにもう一例の実施形態によれば、ブラシ状ヘッドは、静電電荷が容易に帯電される材料で覆われた一以上の軟質パッドも含む。
【００１４】
本方法及び装置のなおももう一例の実施形態によれば、ブラシ状ヘッドの保持体は、一以上の静止部分及び一以上の回転可能な可動部分も含む。
【００１５】
本方法及び装置のもう一例の実施形態によれば、ラジオ波エネルギー適用毛が単極又は双極構成で配列される。
【００１６】
本方法及び装置のさらにもう一例の実施形態によれば、ラジオ波エネルギー適用毛は、ハンドル又はブラシ状ヘッドに配置された接地電極も含む。
【００１７】
本方法及び装置のなおももう一例の実施形態によれば、保持体は、一以上の方向に並進可能であり、かつ、レール、ホイール及びモータ機構、レール、ホイール及び電磁石機構、回転機構、又は圧電機構を含む。
【００１８】
本方法及び装置のもう一例の実施形態によれば、ゲル貯蔵器も設けられる。これは、ブラシ状ヘッドの中にあり又はブラシ状ヘッドに取り付けられ、かつ、電気伝導性洗浄ゲルを保持し及びブラシ状ヘッド保持体の穴を通して適用するべく動作可能である。
【００１９】
本方法及び装置のさらにもう一例の実施形態によれば、美容皮膚手入れの方法も与えられる。これは、複数の形態のエネルギーを皮膚に適用するべく動作可能な複数の毛が保持体に取り付けられたブラシ状ヘッドによって皮膚をブラッシングすることを含む。少なくとも一つの形態が皮膚へのラジオ波エネルギーであり、かつ、もう一つの形態のエネルギーは当該皮膚のマッサージ及び剥脱を行う振動機械エネルギーである一以上の形態のエネルギーが適用される。
【図面の簡単な説明】
【００２０】
以下の詳細な説明を図面とともに考慮することにより、本発明に係る装置及び方法がさらに十分に理解かつ認識される。
【図１】本方法及び装置に係る一例の実施形態の簡単な例示の断面図である。
【図２】本方法及び装置に係るもう一例の実施形態の簡単な例示の平面図及び断面図である。
【図３Ａ】本方法及び装置に係る光送達毛の複数例の、実施形態の簡単な例示の断面図である。
【図３Ｂ】本方法及び装置に係る光送達毛の複数例の、実施形態の簡単な例示の断面図である。
【図３Ｃ】本方法及び装置に係る光送達毛の複数例の、実施形態の簡単な例示の断面図である。
【図３Ｄ】本方法及び装置に係る光送達毛の複数例の、実施形態の簡単な例示の断面図である。
【図４】図４Ａ及び４Ｂは、本方法及び装置に係るラジオ波エネルギー適用毛の複数例の、実施形態の簡単な例示の断面図である。
【図５】本方法及び装置に係るさらにもう一例の実施形態の簡単な例示の平面図及び断面図である。
【図６】図６Ａ、６Ｂ及び６Ｃは、本方法及び装置に係るなおももう一例の実施形態の簡単な例示の平面図及び断面図である。
【図７Ａ】本方法及び装置に係る他の２例の実施形態の簡単な例示の平面図である。
【図７Ｂ】本方法及び装置に係る他の２例の実施形態の簡単な例示の平面図である。
【図８】本方法及び装置に係るもう一例の実施形態の簡単な例示の断面図である。
【図９Ａ】本方法及び装置に係るさらなる他の複数例の、実施形態の簡単な例示の断面図である。
【図９Ｂ】本方法及び装置に係るさらなる他の複数例の、実施形態の簡単な例示の断面図である。
【図９Ｃ】本方法及び装置に係るさらなる他の複数例の、実施形態の簡単な例示の断面図である。
【図１０】本方法及び装置に係るなおももう一例の実施形態の簡単な例示の平面図及び断面図である。
【発明を実施するための形態】
【００２１】
図１を参照する。これは、本方法及び装置に係る一例の実施形態の簡単な例示の断面図である。美容皮膚手入れ又は洗浄の装置１００は、外見がブラシ状のヘッド１０２を含み、かつ、一以上の保持体１０６及び当該保持体１０６に取り付けられた複数の半剛性又は柔軟な毛１０８も含み得る。毛１０８の一部は、プラスチック、ゴム等のような任意の柔軟な材料から作られた標準のブラシ毛である。
【００２２】
毛１０８の少なくとも一部は、ラジオ波エネルギー適用毛１１２を含む。これは、ラジオ波エネルギーを、毛１０８と接触する皮膚１１４に適用するべく動作可能である。追加的又は代替的に、毛１０８の少なくとも一部は、光エネルギーを皮膚１１４に適用するべく動作可能な光送達毛１１６である。
【００２３】
いくつかの実施例では、装置１００はハンドル１０４を含み得る。ハンドルは、ヘッド１０２を皮膚１１４上で操作かつ並進させる場合の保持を快適にするべく設計される。
【００２４】
ヘッド１０２及び／又はハンドル１０４は、電源１１８及び異なるエネルギー源のようなコンポーネントを含み得る。例えば、ラジオ波発生器１２０、光源１２２、制御器１２４及び表示灯１２６である。電源１１８は充電可能である。ハンドル１０４はまた、充電可能電源１１８を充電器（図示せず）に接続するべくオン／オフスイッチ１２８及びプラグ又はソケット１３０も含む。
【００２５】
ここで図２を参照する。これは、本方法及び装置に係る一例の実施形態の、矢印（Ｗ）の方向から見た図１のヘッド１０２と同様のヘッド２０２の簡単な例示の平面図及び断面図である。ヘッド２０２は、保持体２０６に取り付けられ、かつ、それぞれが同じタイプの複数の毛２０８を含む複数のクラスターに配列された毛２０８の組み合わせを含む。保持体２０６における各クラスターの配置は変わり得る。
【００２６】
例示目的のみとして、クラスター２３０及び２３２はラジオ波エネルギー適用毛２１２を含み、クラスター２３４及び２３６は、プラスチック、ゴムのような任意の柔軟な材料から作られた標準の不活性ブラシ毛を含み、並びに、クラスター２３８は光送達毛２１６を含む。ラジオ波エネルギー適用毛２１２は、ラジオ波発生器１２０（図１）からの供給を受け、光送達毛２１６は光源１２２（図１）からの供給を受ける。クラスター２３０及び２３２内にある互いに最も近いラジオ波エネルギー適用毛２１２同士の最短距離（ｄ）は、ラジオ波エネルギー適用毛２１２の短絡を防止するべく、毛２１２の組み合わせ長さ（ｌ）を超過する（すなわちｄ＞ｌ１＋ｌ２）。
【００２７】
ここで図３Ａ、３Ｂ、３Ｃ及び３Ｄを参照する。これらは、本方法及び装置に係る毛１１６（図１）及び２１６（図２）と同様の光送達毛３１６の、複数例の実施形態の簡単な例示の断面図である。
【００２８】
図３Ａに示されるように、光送達毛３１６は、毛３０８を形成する単数の光ファイバ又は一緒に束ねられた複数の光ファイバ３０２を含む。光ファイバ３０２は、当該ファイバ３０２同士間でなんらかの長手方向に相対的な動きが可能となる可撓性接着剤又はスリーブを用いて互いに接着される。その結果、光送達毛３１６には所定程度の柔軟性が許容される。
【００２９】
代替的かつ随意的に及び図３Ｂに示されるように、光送達毛３１６の光ファイバ３０２は、柔軟なコーティング３０４によって被覆される。その結果、光送達毛３１６には所定程度の柔軟性が維持されるのと同時に、皮膚１１４（図１）への光経路も許容される。
【００３０】
代替的かつ随意的に及び図３Ｃに示されるように、光送達毛３１６の光ファイバ３０２は、保護用スリーブ３０６内に取り囲まれる。スリーブ３０６は、プラスチック、ゴム等のような任意のタイプの弾性の柔軟な材料から作られる。光ファイバ３０２は、スリーブ３０６の周縁３１０で終端し、又は代替的に、周縁３１０を超えて突出する。この場合、ファイバ３０２は上述のように部分的に被覆される。
【００３１】
代替的かつ随意的に及び図３Ｄに示されるように、保護用透明カバー３１２が周縁３１０に取り付けられる。保護用透明カバー３１２は、トリートメントを受ける皮膚への偶発的な損傷を防止する他の形状を有するドーム形状又は他の形状である。これにより、スリーブ３０６の周縁３１０で終端し又はこれを超えて突出する光ファイバ３０２が保護される。
【００３２】
光ファイバは、光源１２２（図１）からの供給を受けて、可視光又は赤外（ＩＲ）光の形態にある光エネルギーを適用する。適用される光は、連続、半連続又はパルスの形態であって４００ｎｍ〜２０００ｎｍの波長を有する。光源１２２は、ハンドル１０４の専用スイッチ（図示せず）によって独立して制御されるか又は、追加的若しくは代替的に、制御器１２４（図１）によって所定のプロトコルに従って制御される。プロトコルは、ファイバ３０２への光供給において異なるオプションを含み得る。例えば、光は一つのファイバに、一群のファイバに、又はすべてのファイバ３０２に同時に供給される。
【００３３】
ここで図４Ａ及び４Ｂを参照する。これらは、本方法及び装置に係る毛１１２（図１）及び２１２（図２）と同様のラジオ波エネルギー適用毛４１２の、複数例の実施形態の簡単な例示の断面図である。
【００３４】
図４Ａに示されるように、毛４０８はラジオ波エネルギー適用毛４１２を含む。ラジオ波エネルギー適用毛４１２は一以上のラジオ波電極４０２を有する。ラジオ波電極４０２は、ラジオ波発生器１２０（図１）と通信しかつラジオ波発生器１２０（図１）からの供給を受ける。ラジオ波エネルギー適用毛４１２は、コーティング又はスリーブ４０４によって一部が電気的に絶縁される。
【００３５】
代替的かつ随意的に及び図４Ｂに示されるように、ラジオ波エネルギー適用毛４１２は、保護用スリーブ４０６内に取り囲まれた一以上のラジオ波電極４０２を含む。スリーブ４０６は、プラスチック、ゴム等のような任意のタイプの電気的に絶縁性の柔軟な材料から作られる。ラジオ波電極４０２は周縁４１０を超えて突出する。
【００３６】
電極４０２は、毛４０８の柔軟性を許容する柔軟な伝導性材料から作られる。
【００３７】
ここで図５を参照する。これは、本方法及び装置に係るもう一例の実施形態の、矢印（Ｗ）の方向から見た図１のヘッド１０２と同様のヘッド５０２の簡単な例示の平面図及び断面図である。
【００３８】
図５では、光送達毛５１６は、クラスター５３８内の保持体５０６に取り付けられた一以上のＬＥＤである。追加的かつ随意的に、ヘッド５０２は、一以上のクラスター５３０及び５３２においてラジオ波エネルギー適用毛５１２も含む。追加的かつ随意的に、ヘッド５０２は、例えば摩擦によって静電電荷が容易に帯電される材料で覆われた一以上の軟質パッド５０４も含む。当該材料は、ポリエステル、絹、スチレン等であるがこれらに限られない。パッド５０４は、美容皮膚手入れセッションの間及びそれに引き続き、緩んだ帯電皮膚の残骸を収集することができる。パッド５０４は、使い捨てパッド及び交換可能パッドとして実装することができる。
【００３９】
本方法及び装置に係るさらにもう一例の実施形態の、矢印（Ｗ）の方向から見た図１のヘッド１０２と同様のヘッド６０２の簡単な例示の平面図及び断面図である図６Ａに示されるように、光送達毛６１６は、保持体６０６の中の凹部６０４内に埋め込まれた一以上のＬＥＤである。プラスチック、ナイロン等のような任意の透明な柔軟性材料から作られた標準のブラシ毛６０８が、プラスチック、ポリ（メチルメタクリレート）（プレキシガラス（登録商標））等のような透明板６１０に取り付けられる。透明板６１０は、保持体６０６に取り付けられ、かつ、凹部６０４を覆い透明窓を形成する。
【００４０】
追加的かつ随意的に、ヘッド５０２（図５）と同様、ヘッド６０２もまた、一以上のクラスター６３０及び６３２においてラジオ波エネルギー適用毛６１２を含み、かつ、美容皮膚手入れセッションの間及びそれに引き続き、帯電した残骸を収集する一以上の軟質パッド６１４を含む。図６Ｂは、本方法及び装置に係るさらにもう一例の実施形態の、矢印（Ｗ）の方向から見た図１のヘッド１０２と同様のヘッド６３８の簡単な例示の平面図及び断面図である。一以上のクラスター６３０及び６３２におけるラジオ波エネルギー適用毛６１２が、中実の又は可撓性の標準電極６４２及び６４６に交換されている。
【００４１】
図６Ｃでは、光送達毛６１６は、ラジオ波エネルギー適用要素６０８と協調して又は引き続いて皮膚（図示せず）を直接照明する一以上のＬＥＤである。
【００４２】
ここで図７Ａ及び７Ｂを参照する。これらは、矢印（Ｗ）の方向から見た図１のヘッド１０２と同様の、本方法及び装置に係るなおももう一例の実施形態のヘッド７０２の簡単な例示の平面図である。図７Ａに示されるように、ヘッド７０２は、静止部分７０６−１及び回転可能な可動部分７０６−２を有する保持体７０６を含む。回転可能な可動部分７０６−２は、制御器１２４（図１）により制御され、かつ、エネルギー源１１８（図１）から給電される電気駆動モータ（図示せず）に接続される。
【００４３】
保持体７０６の静止部分７０６−１は、光ファイバ３０２の複数の毛３０８（図３）、複数のＬＥＤ５１６（図５）、又は図６に示された構成の複数のＬＥＤ６１６の形態にある複数の光送達毛７１６を含む。
【００４４】
可動部分７０６−２は、滑動環アセンブリ又はブラシアセンブリ（図示せず）を介してラジオ波発生器１２０（図１）に接続されたラジオ波エネルギー適用毛７１２を含む。ラジオ波エネルギー適用毛７１２は、毛７１２の電極の短絡を防止するべく単極構成とされる。操作中に操作者の手と接触する共通電極７０４がハンドル１０４（図１）に配置される。複数の毛は、適切な間隔によって双極構成としても操作することができる。
【００４５】
可動部分７０６−２は、静止部分７０６−１のまわりを、矢印７５０に示されるように完全に回転することも又は矢印７５５に示されるように前後に動くこともできる。
【００４６】
可動部分７０６−２の動きは、ヘッド７０２が適用される皮膚に対するマッサージ及び剥脱（マイクロアブレーション）効果を有する。
【００４７】
図７Ｂは、図７Ｂの実施形態のもう一つの構成を示す。この構成では、接地電極７０４が、保持体７０６の静止部分７０６−１の中心にある。ラジオ波エネルギー適用毛７１２と接地電極７０４との間の最短距離（ｄ）は、ラジオ波エネルギー適用毛７１２の短絡を防止するべく、毛７１２の長さ（ｌ）を超過する（すなわちｄ＞ｌ）。
【００４８】
ここで図８を参照する。これは、本方法及び装置に係るもう一例の実施形態の簡単な例示の断面図である。ヘッド８０２は、エネルギー源１１８（図１）からの供給を受けて振動機械エネルギーをヘッド８０２に適用する振動モータ８０４を含む。振動モータ８０４は、棒形振動モータ、コイン形振動モータ等のような任意タイプの小型振動モータであり、ハンドル１０４（図１）の専用スイッチによって又は追加的若しくは代替的に制御器１２４によって、別個に制御される。振動モータ８０４は、ヘッド８０２が適用される皮膚に対するマッサージ及び剥脱効果を奏する。
【００４９】
本方法及び装置に係る他の複数例の実施形態の、簡単な例示の断面図である図９Ａ及び９Ｂにおいて、ヘッド９０２は凹部９０４を含む。凹部９０４は、当該凹部９０４の少なくとも一つの壁に少なくとも一つのレール９０８を含む。ヘッド９０２の保持体９０６の可動部分９１０は、シャシ９１２から懸架される。シャシ９１２は、レール９０８に沿って回転するべく動作可能な少なくとも一つのホイール９１４を有する。ホイール９１４は、エネルギー源１１８から給電される電気モータ９１６によって作動する。
【００５０】
モータ９１６は、ハンドル１０４（図１）の専用スイッチ（図示せず）によって別個に作動し、かつ、制御器１２４によって制御される。保持体９０６は、作動すると、図９Ａに示される第１静止位置から図９Ｂに示される第２静止位置まで並進する。
【００５１】
モータ９１６は、図９Ａ及び９Ｂに示される静止位置間において、保持体９０６を矢印９５０に示されるように前後に並進させる。保持体９０６の並進は、ヘッド９０２が適用される皮膚に対するマッサージ及び剥脱効果を有する。
【００５２】
代替的かつ随意的に、保持体９０６を振動又は並進させるべく、一以上の圧電素子をヘッド９０２に組み入れることもできる。保持体９０６の振動は、並進よりもかなり高い周波数で行われ得る。例えば、振動周波数は、超音波周波数範囲内にある。
【００５３】
代替的かつ随意的に、図９Ｃに示されるように、保持体９０６の静止部分９３０は、少なくとも一つの電磁石９１８を含む。電磁石９１８が交互する極性を有し、かつ、可動部分９１０が電磁石９１８に対向して配置された磁石９２０を含む。電磁石９１８の極性を交互させることにより、可動部分９１０は、上述のとおり、矢印９５０に示されるようにレール９０８に沿って前後に並進することができる。
【００５４】
様々なタイプのエネルギー適用毛９２２（すなわちラジオ波適用、光適用及び他のタイプのエネルギー適用毛９２２並びに標準の不活性毛）の分布構成は、例示目的のみとして、図７Ａの構成と同様の複数構成の一つにあるラジオ波エネルギー適用毛及び不活性毛を含む可動部分９１０と、光適用毛を含む静止部分９３０とからなる。代替的に、もう一つの構成は、複数の不活性毛及び複数のＬＥＤを含む可動部分９１０と、単極又は双極構成のラジオ波エネルギー適用毛を含む静止部分９３０とからなる。他の複数構成は、同様の又は他のエネルギー適用毛、静電電荷で帯電されたパッド等からなる。
【００５５】
当業者に認識されることだが、この説明で上述されたエネルギーの形態（すなわち、ラジオ波エネルギー、光エネルギー、機械／振動エネルギー、超音波エネルギー又は他の形態の適用可能エネルギー）は、同時に、引き続いて、又は他の任意の所望の適用順序で適用することができる。追加的又は代替的に、この説明で上述されたエネルギー形態を、連続、半連続又はパルスモードからなる一以上のモードで適用することもできる。
【００５６】
一般に、美容顔面皮膚手入れは、モイスチャライザー、洗顔乳液、酸化防止剤、透明洗顔剤等に関連する。追加的に、ラジオ波皮膚トリートメントは、電極皮膚間接触を改善するべく電気伝導性ゲルの使用に関連する場合が多い。
【００５７】
ここで図１０を参照する。これは、本方法及び装置に係るもう一例の実施形態の、矢印（Ｗ）の方向から見た図１のヘッド１０２と同様のヘッド１００２の簡単な例示の平面図及び断面図である。ヘッド１００２はゲル貯蔵器１００４を含む。ゲル貯蔵器１００４は、洗浄石けんのような電気伝導性の皮膚手入れ用洗浄ゲルを保持するべく動作可能である。貯蔵器１００４は、エネルギー源１１８及び制御器１２４（図１）と通信する補充用バルブ１００６及び自動配給ポンプ１００８を含む。貯蔵器１００４の自動配給ポンプ１００８は、ハンドル１０４の専用スイッチ（図示せず）により又は制御器１２４（図１）により別個かつ手動で所定プロトコルに従って制御される。
【００５８】
自動配給ポンプ１００８は作動すると、一設定量のゲルを、ヘッド１００２の保持体１０１２の穴１０１０を通して配給する。
【００５９】
当業者に認識されることだが、本発明は、具体的に図示され及び上述されたものに限られない。むしろ、本発明の範囲は、上述された様々な特徴のコンビネーション及びサブコンビネーション双方を含むと同時に、上述の説明を読んだ当業者が想到し、かつ、先行技術にはない修正例及び変形例も含む。
【図１】
2014527432.tif 000003
【図２】
2014527432.tif 000004
【図３Ａ】
2014527432.tif 000005
【図３Ｂ】
2014527432.tif 000006
【図３Ｃ】
2014527432.tif 000007
【図３Ｄ】
2014527432.tif 000008
【図４Ａ】
2014527432.tif 000009
【図４Ｂ】
2014527432.tif 000010
【図５】
2014527432.tif 000011
【図６】
2014527432.tif 000012
【図７Ａ】
2014527432.tif 000013
【図７Ｂ】
2014527432.tif 000014
【図８】
2014527432.tif 000015
【図９Ａ】
2014527432.tif 000016
【図９Ｂ】
2014527432.tif 000017
【図９Ｃ】
2014527432.tif 000018
【図１０】
2014527432.tif 000019
【国際調査報告】
2014527432.tif 000020